(57)【特許請求の範囲】
【請求項１】
採取した全血から血球分離膜を用いずに血漿または血清を採取する方法において、全血と、カルボキシル基、リン酸基及びスルホン酸基から選ばれる１種若しくは２種の基を有し、アミノ酸以外の有機酸化合物またはその塩あるいはその溶液とを接触させて血球を分離することを特徴とする血漿または血清の採取方法。
【請求項２】
有機酸化合物がケト−エノール型カルボン酸化合物、二価以上のカルボン酸化合物、二価以上の有機リン酸化合物または二価以上の有機スルホン酸化合物である請求項１記載の血漿または血清の採取方法。
【請求項３】
有機酸化合物がホスホエノールピルビン酸、α−ケトグルタル酸、オキザロ酢酸、アセチルリン酸、ピルビン酸、３−ホスホグリセリン酸、リンゴ酸、蓚酸、アデノシン−５'−二リン酸、アデノシン−５'−三リン酸、酸価型または還元型のニコチンアミドアデニンジヌクレチド、酸価型または還元型のニコチンアミドアデニンジヌクレチドリン酸、エチレンジアミン四酢酸、ピペラジン−１，４−ビス（２−エタンスルホン酸）及びピペラジン−１，４−ビス（２−ヒドロキシ−３−プロパンスルホン酸）二水和物からなる化合物群より選択される１種あるいは２種以上である請求項１記載の血漿または血清の採取方法。
【請求項４】
有機酸化合物がホスホエノールピルビン酸、アセチルリン酸または３−ホスホグリセリン酸である請求項１記載の血漿または血清の採取方法。
【発明の詳細な説明】
【技術分野】
【０００１】
本発明は、微量な血液からでも血漿や血清を効率よく分離、採取可能とする方法に関するものである。
【背景技術】
【０００２】
人の健康状態を調べる手段として、血液中に含まれる代謝産物、タンパク質、脂質、電解質、酵素、抗原、抗体等の検出あるいは測定は広く行われている。しかし、これらの検出あるいは測定は、通常、全血では困難であり血漿または血清を検体としている。
全血から血漿または血清を得る方法としては、
１．遠心分離機を用いる遠心分離法、
２．ガラス繊維濾紙などの血球濾過材料を用いる方法などが知られている。
さらに、この際、特許文献１には無機塩若しくはアミノ酸の水溶液の、特許文献２には無機塩、アミノ酸若しくは糖類の使用が報告されている。【０００３】
特許文献１に記載の方法は、全血に一定濃度の無機塩若しくはアミノ酸の水溶液を添加した後に血球成分を濾別する方法で、水溶液としてのみ有効であり、使用する剤形に制約がある。ガラス繊維濾紙に含浸させて使用した場合は溶血をおこすことが記載されている。
特許文献２に記載の方法は、予め無機塩、アミノ酸若しくは糖類を多孔性材料に担持させておき、全血と接触させ血球成分を分離する方法で、乾燥状態のみの剤形制約があり、その効果は水溶液の場合に比べ弱い。【０００４】
【特許文献１】特開平０９−１９６９０８号公報
【特許文献２】国際公開０１／０９２８８６号パンフレット
【発明の開示】
【発明が解決しようとする課題】
【０００５】
本発明の目的は、より少ない血液から、より多くの血漿や血清を分離することであり、使用する剤形や形態に制約がなく、様々な条件の血液調整方法や血液成分分析方法などへ応用可能な血球分離の方法を提供することである。
【課題を解決するための手段】
【０００６】
本発明者等は鋭意研究の結果、全血をカルボキシル基、リン酸基及びスルホン酸基から選ばれる１種若しくは２種の基を有する有機化合物と接触させると血球の分離が促進され、効率よく血漿や血清が採取できることを見出し、本発明を完成させた。【０００７】
即ち、本発明は
（１）採取した全血と、カルボキシル基、リン酸基及びスルホン酸基から選ばれる１種若しくは２種の基を有し、アミノ酸以外の有機酸化合物またはその塩とを接触させて血球を分離することを特徴とする血漿または血清の採取方法；
（２）採取した全血と、カルボキシル基、リン酸基及びスルホン酸基から選ばれる１種若しくは２種の基を有し、アミノ酸以外の有機酸化合物またはその塩あるいはその溶液とを混合して血球を分離することを特徴とする上記（１）記載の血漿または血清の採取方法；
（３）血球の分離に血球分離膜を使用する上記（２）記載の血漿または血清の採取方法；
（４）採取した全血を、カルボキシル基、リン酸基及びスルホン酸基から選ばれる１種若しくは２種の基を有し、アミノ酸以外の有機酸化合物またはその塩を担持させた血球分離膜に添加して血球を分離することを特徴とする上記（１）記載の血漿または血清の採取方法；【０００８】
（５）有機酸化合物がケト−エノール型カルボン酸化合物、二価以上のカルボン酸化合物、二価以上の有機リン酸化合物または二価以上の有機スルホン酸化合物である上記（１）〜（４）のいずれか一項に記載の血漿または血清の採取方法；
（６）有機酸化合物がホスホエノールピルビン酸、α−ケトグルタル酸、オキザロ酢酸、アセチルリン酸、ピルビン酸、３−ホスホグリセリン酸、リンゴ酸、蓚酸、アデノシン−５'−二リン酸、アデノシン−５'−三リン酸、酸価型または還元型のニコチンアミドアデニンジヌクレチド、酸価型または還元型のニコチンアミドアデニンジヌクレチドリン酸、エチレンジアミン四酢酸、ピペラジン−１，４−ビス（２−エタンスルホン酸）及びピペラジン−１，４−ビス（２−ヒドロキシ−３−プロパンスルホン酸）二水和物からなる化合物群より選択される１種あるいは２種以上である上記（１）〜（４）のいずれか一項に記載の血漿または血清の採取方法；
（７）上記（１）〜（４）のいずれか一項に記載の血漿または血清の採取方法におけるカルボキシル基、リン酸基及びスルホン酸基から選ばれる１種若しくは２種の基を有し、アミノ酸以外の有機酸化合物またはその塩；
に関する。
【発明の効果】
【０００９】
本発明により、より少ない血液から、より多くの血漿や血清を分離することが可能となり、また、低コストで簡便で且つ迅速な血液成分分析が可能となった。さらに、本発明の血漿または血清の採取方法に使用するカルボキシル基、リン酸基及びスルホン酸基から選ばれる１種若しくは２種の基を有し、アミノ酸以外の有機酸化合物またはその塩は、これまでになかった切れ味の鋭い血球の分離を示し、血液の粘度が高い「高ヘマトクリット血液」であっても同様の効果を有するもので、血球分離促進剤と呼ばれることもある。
【発明を実施するための最良の形態】
【００１０】
本発明の血漿または血清の採取方法は、採取した全血と、カルボキシル基、リン酸基及びスルホン酸基から選ばれる１種若しくは２種の基を有し、アミノ酸以外の有機酸化合物またはその塩とを接触させて血球を分離することを特徴とする。
本発明が適用される全血とは、通常、生体から採取される血液であれば、採取方法等は特に限定されず、ヘパリン、フッ化ナトリウムなどの抗凝固剤や解糖阻止剤などが含まれていてもよい。
アミノ酸には、通常のα−またはβ−アミノ酸が含まれ、Ｄ−アミノ酸もＬ−アミノ酸も含まれる。【００１１】
全血と接触させるとは、採取した全血と、カルボキシル基、リン酸基及びスルホン酸基から選ばれる１種若しくは２種の基を有し、アミノ酸以外の有機酸化合物またはその塩あるいはその溶液とを混合する方法や採取した全血を、カルボキシル基、リン酸基及びスルホン酸基から選ばれる１種若しくは２種の基を有し、アミノ酸以外の有機酸化合物またはその塩を担持させた血球分離膜に添加する方法等がある。【００１２】
本発明の血漿または血清の採取方法において、カルボキシル基、リン酸基及びスルホン酸基から選ばれる１種若しくは２種の基を有し、アミノ酸以外の有機酸化合物としては特に限定されず、例えば、ピルビン酸、α−ケトグルタル酸、オキザロ酢酸等のケト−エノール型カルボン酸化合物；クエン酸、フマル酸、マレイン酸、マロン酸、リンゴ酸、コハク酸、酒石酸、アジピン酸、グルタル酸、イタコン酸、蓚酸等の二価以上のカルボン酸化合物；ギ酸、酢酸、グルコン酸、乳酸、プロピオン酸、グリコール酸、グリオキシル酸、ヒドロキシ酪酸、グリセリン酸、クロトン酸、シキミ酸、エチレンジアミン四酢酸（ＥＤＴＡ）；２、３−ジホスホグリセリン酸、アデノシン−５'−二リン酸（ＡＤＰ）、アデノシン−５'−三リン酸（ＡＴＰ）、酸価型または還元型のニコチンアミドアデニンジヌクレチド、酸価型または還元型のニコチンアミドアデニンジヌクレチドリン酸等の二価以上の有機リン酸化合物；グルコース−６−リン酸、フルクトース−６−リン酸、クレアチンリン酸、アセチルリン酸（Ａｃｅｔｙｌ  ｐｈｏｓｐｈａｔｅ）、２−ホスホグリセリン酸、３−ホスホグリセリン酸；ピペラジン−１，４−ビス（２−エタンスルホン酸）（ＰＩＰＥＳ）、ピペラジン−１，４−ビス（２−ヒドロキシ−３−プロパンスルホン酸）二水和物（ＰＯＰＳＯ）等の二価以上の有機スルホン酸化合物；２−（Ｎ−モルフォリノ）エタンスルホン酸（ＭＥＳ）、２−［４−（２−ヒドロキシエチル）−１−ピペラジニル］エタンスルホン酸（ＨＥＰＥＳ）、Ｎ，Ｎ−ビス（２−ヒドロキシエチル）−２−アミノエタンスルホン酸（ＢＥＳ）；ホスホエノールピルビン（ＰＥＰ）酸、アスコルビン酸、アラボアスコルビン酸等が挙げられ、ケト−エノール型カルボン酸化合物、二価以上のカルボン酸化合物、二価以上の有機リン酸化合物または二価以上の有機スルホン酸化合物が好ましく、例えば、ホスホエノールピルビン酸、α−ケトグルタル酸、オキザロ酢酸、クレアチンリン酸、アセチルリン酸、ピルビン酸、３−ホスホグリセリン酸、リンゴ酸、蓚酸、アデノシン−５'−二リン酸、アデノシン−５'−三リン酸、酸価型または還元型のニコチンアミドアデニンジヌクレチド、酸価型または還元型のニコチンアミドアデニンジヌクレチドリン酸、エチレンジアミン四酢酸、ＰＩＰＥＳ、ＰＯＰＳＯ等が好ましく、特にホスホエノールピルビン酸、クレアチンリン酸、アセチルリン酸または３−ホスホグリセリン酸が好ましい。【００１３】
本発明において使用する有機酸化合物の塩としては特に限定されず、ナトリウム塩、カリウム塩、アンモニウム塩、シクロヘキシルアンモニウム塩等が挙げられ、その無水塩であっても水和物であってもよい。
さらに、上記の有機酸化合物またはその塩は単独で用いても組み合わせて用いてもよい。【００１４】
本発明の血漿または血清の採取方法に使用する有機酸化合物またはその塩は、全血と接触すると、血漿または血清と、赤血球等の血球とを迅速に分離し、血液凝固や溶血は起こさず、より多くの血漿または血清を採取可能とするものである。採取とは、血漿または血清を取り出さず血球と分離することも含む。また、ヘマットクリットを低下させたり、浸透圧の作用により細胞を収縮させる作用を有していてもよい。さらには、赤血球表面の極性を変化させ赤血球の凝固若しくは凝集を促進させる作用も有していてもよい。【００１５】
本発明の血漿または血清の採取方法についてさらに説明する。
全血から血球を分離する方法は、遠心分離による方法、血球分離膜、濾紙や親水性の高分子膜を用いる方法などがあるが、本発明の血漿または血清の採取方法はこれらのどの方法にも適用できる。
本発明において有機酸化合物またはその塩は、水溶液等の溶液状態、ゾルやゲル状のような半液体や半固体状態または粉末などの固体状態で使用することができる。
血漿または血清の採取方法として具体的には、例えば、採血後２分以内に全血と前記の有機酸化合物またはその塩と抗凝固剤とを混合し、３０００回転で約１５分（４℃）遠心分離して血漿を得る方法；採血した全血と前記の有機酸化合物またはその塩とを混合し、室温で約３０分放置後、３０００回転で約１５分（４℃）遠心分離して血清を得る方法等がある。
全血と前記の有機酸化合物またはその塩と抗凝固剤とを混合して、あるいは全血と前記の有機酸化合物またはその塩とを混合して室温で約３０分放置した後に、血球分離膜や濾紙あるいは親水性の高分子膜を用い血漿または血清を得る方法もあり、これらも本発明に含まれる。また、血球分離膜や濾紙あるいは親水性の高分子膜にあらかじめ抗凝固剤を担持させておけば、全血と前記の有機酸化合物またはその塩を添加後すぐに血球分離操作が進行し血漿が得られる。
さらに、あらかじめ血球分離膜や濾紙あるいは親水性の高分子膜に前記の有機酸化合物またはその塩、血漿の場合には抗凝固剤をも担持させ、採取した全血を添加して血漿または血清を得ることもでき、これらの方法も本発明に含まれる。【００１６】
前記の有機酸化合物またはその塩を全血と混在させる時のｐＨは特に制限はないが、あまりにｐＨが低いと血液が凝固を起こすため、好ましくはｐＨ３．５〜ｐＨ１２程度であり、より好ましくはｐＨ４．０〜ｐＨ１０．０である。
全血と混在させる時の前記の有機酸化合物またはその塩の濃度についても特別な制限はないが、低濃度側ではその効果が弱く、高濃度側では溶血が生じやすいため、好ましくは全血と混合状態にある時、全血中における濃度が０．０２ｍｏｌ／Ｌ〜０．６ｍｏｌ／Ｌ程度が好ましく、０．１ｍｏｌ／Ｌ〜０．５ｍｏｌ／Ｌ程度がより好ましい。
前記の有機酸化合物またはその塩と混合する全血の量は特に制限はないが、遠心分離が困難な量、例えば、１ｍＬ以下で本発明の方法は有用である。微量であるほど好ましいが、採取が可能な量を考慮すると０．１μＬ〜２００μＬ程度が好ましい。【００１７】
血球分離膜としては、市販のガラス繊維濾紙、表面が親水化処理された弗素含有ポリマー、ポリスルホンなどの微多孔性材料等が使用可能である。また、それらを組み合わせた積層体でもよい。
また、本発明は血糖測定用のバイオセンサなどの電極表面に形成され低分子物質のみを透過させて血球等の高分子物質を排除する親水性高分子層を使用する血球分離にも使用可能である。
さらに、カラムや流路中に血球分離膜や親水性高分子膜やそれらの積層体等を配置して、毛細管現象、引圧や加圧などにより血液を通過させて行う血球分離にも応用可能である。【００１８】
血漿または血清の採取の際に前記の有機酸化合物またはその塩以外の添加剤を用いてもよい。該添加剤には乳化剤や湿潤剤、長期の保存を可能にする防腐剤や安定化剤、乾燥や濃縮防止を目的とする界面活性剤、ｐＨ調節を目的とする緩衝剤などが挙げられる。さらに、検査の目的に応じて各種の化合物、例えば、１，５−アンヒドログルシトール測定の前処理試薬である選択的にグルコースを消去したり変換したりする試薬等とともに用いることもできる。
【実施例】
【００１９】
以下、実施例により本発明を更に詳細に説明する。なお、本発明は以下の実施例になんら制約されるものではない。【００２０】
実施例１
血漿用または血清用の採血管で採取した全血２００μＬに、以下の有機酸化合物の水溶液（０．５ｍｏｌ／Ｌ）をｐＨ約６〜７に調製し、５０μＬをマイクロピペットで添加して混ぜ、ヘパリン処理済ヘマトクリット毛細管（血漿用）または未処理ヘマトクリット毛細管（血清用）にその約３分の２程度入れて片端をパテで栓をした。
血清用については室温で３０分以上放置した後、３０００回転で１０分間遠沈して、赤血球層（％）＝赤血球層長／全層長ｘ１００を求めた。
血漿用についてはすぐに３０００回転で１０分間遠沈して、赤血球層（％）＝赤血球層長／全層長ｘ１００を求めた。その結果を表１に示す。【００２１】
有機酸化合物またはその塩
ホスホエノールピルビン酸シクロヘキシルアンモニウム塩（ＰＥＰ−  Ｃｙｃｌｏｈｅｘｌ−ＮＨ３＋）、ホスホエノールピルビン酸ナトリウム塩（ＰＥＰ−  Ｎａ＋）、ホスホエノールピルビン酸カリウム塩（ＰＥＰ−  Ｋ＋）、蓚酸、リンゴ酸、α−ケトグルタル酸、オキザロ酢酸、エチレンジアミン四酢酸（ＥＤＴＡ）、アセチルリン酸、３−ホスホグリセリン酸、アデノシン−５'−二リン酸、アデノシン−５'−三リン酸、ニコチンアミドアデニンジヌクレチド（ＮＡＤ）、ニコチンアミドアデニンジヌクレチドリン酸（ＮＡＤＰ）、ピペラジン−１，４−ビス（２−エタンスルホン酸）（ＰＩＰＥＳ）、ピペラジン−１，４−ビス（２−ヒドロキシ−３−プロパンスルホン酸）二水和物（ＰＯＰＳＯ）【００２２】
［表１］
0004671441.tif 000002
結果から明らかなように赤血球層（％）は血漿で２１．９％〜２９．２％、血清で２５．３％〜２９．５％であった。【００２３】
比較例１
実施例１の有機酸化合物に代えて、生理食塩水またはアミノ酸（アラニン若しくはセリン）または糖類（グルコース、マンニトール若しくはガラクトース）の水溶液（０．５ｍｏｌ／Ｌ）を用いて実施例１と同様に赤血球層（％）を求めた。その結果を表２に示す。【００２４】
［表２］
0004671441.tif 000003
結果から明らかなように、赤血球層（％）は血漿で３０．３％〜３９．５％、血清で３２．５％〜４０．７％であった。【００２５】
実施例１は比較例１に比べて、赤血球層（％）が低下している。即ち、血漿層または血清層（％）の割合が増加しており、血漿または血清がより多く採取可能であることが示されている。【００２６】
実施例２
健常女子から、２０ｍＬの全血を血漿用採血管に採取してヘマトクリット（Ｈｃｔ）値（ヘマトクリット値とは全血液に対する赤血球の容積比であり、正常値の目安は男性で４０〜５０％、女性で３５〜４５％である。）を測定したところ、４５％であった。その一部を遠心分離して血漿を抜き取り高いＨｃｔ値の全血を調製した。また、全血に血漿を添加して低いＨｃｔ値の全血を調製した。
このように調製した全血検体６種類について、全血２００μＬあたり５０μＬの０．５ｍｏｌ／Ｌのホスホエノールピルビン酸カリウム塩溶液をマイクロピペットにて添加し、実施例１と同様にして赤血球層（％）を計測し、血漿層（％）＝１００−赤血球層（％）を求めた。結果を表３に示す。【００２７】
比較例２
実施例２と同様の実験において、実施例２の０．５ｍｏｌ／Ｌのホスホエノールピルビン酸カリウム塩溶液を生理食塩水に代えて血漿層（％）を求めた。結果を表３に示す。【００２８】
［表３］
0004671441.tif 000004
結果から明らかなように、実施例２で得られた血漿層（％）は比較例２で得られた血漿層（％）より大きく、血漿がより多く採取可能であることが示されている。さらに、実施例２で得られた血漿層（％）と比較例２で得られた血漿層（％）との比は、検体のＨｃｔ値（％）が増加するに伴って増加している。このことはより高いＨｃｔ値の全血ほど本発明の効果が高いことを示している。【００２９】
参考例１
８７．５ｍＭ  リン酸ｂｕｆｆｅｒ（ｐＨ７．０）中に、表４に記載の有機酸化合物を
８７．５ｍＭとなるように溶解し、ｐＨを７．０に再調製した液と、血漿用採血管で採取
した全血とをマイクロピペットにて１０μＬずつ等量混合した後、血球分離膜であるヘマ
セップＬ（ＰＡＬＬ製）５ｍｍｘ１５ｍｍの左端に１５μＬをマイクロピペットにより滴
下した。５分放置後、赤血球部と血漿部に分離して全てが濡れた状態となったヘマセップ
Ｌの赤血球部分長  Ａ（ｍｍ）を左端より計測した。Ａ／１５ｘ１００を赤血球層（％）
として求め、表４に示した。
【００３０】
有機酸化合物またはその塩
ホスホエノールピルビン酸シクロヘキシルアンモニウム塩（ＰＥＰ−  Ｃｙｃｌｏｈｅｘｌ−ＮＨ３＋）、酢酸、クエン酸、フマル酸、グルコン酸、乳酸、マレイン酸、リンゴ酸、マロン酸、蓚酸、プロピオン酸、ピルビン酸、コハク酸、酒石酸、アスコルビン酸、アラボアスコルビン酸、グルコース−６−リン酸、フルクトース−６−リン酸、α−ケトグルタル酸、グリコール酸、グリオキシル酸、ヒドロキシ酪酸、グルタル酸、オキザロ酢酸、グリセリン酸、イタコン酸、クロトン酸、シキミ酸、エチレンジアミン四酢酸  ２ナトリウム塩（ＥＤＴＡ・２Ｎａ）、アデノシン−５'−二リン酸（ＡＤＰ）、アデノシン−５'−三リン酸（ＡＴＰ）、還元型ニコチンアミドアデニンジヌクレチドリン酸（ＮＡＤＰＨ）、還元型ニコチンアミドアデニンジヌクレチド（ＮＡＤＨ）、アセチルリン酸、２、３−ジホスホグリセリン酸、３−ホスホグリセリン酸、２−（Ｎ−モルフォリノ）エタンスルホン酸（ＭＥＳ）、ピペラジン−１，４−ビス（２−エタンスルホン酸）（ＰＩＰＥＳ）、２−［４−（２−ヒドロキシエチル）−１−ピペラジニル］エタンスルホン酸（ＨＥＰＥＳ）、Ｎ，Ｎ−ビス（２−ヒドロキシエチル）−２−アミノエタンスルホン酸（ＢＥＳ）【００３１】
比較例３
参考例１と同様の実験において、有機酸化合物を添加しない８７．５ｍＭ  リン酸ｂｕｆｆｅｒ（ｐＨ７．０）のみと血漿用採血管で採取した全血とをマイクロピペットにて１０μＬずつ等量混合して行い、以下参考例１と同様に操作して、赤血球層（％）を求め、表４に示した。
【００３２】
［表４］
0004671441.tif 000005
【００３３】
参考例１のように上記有機酸化合物と血球分離膜を組み合わせることにより、比較例３に比べて赤血球層（％）の割合が低下しており、多くの血漿が採取可能、即ち少量の全血にて検査可能であることを示している。
【００３４】
参考例２
以下の表５に示すホスホエノールピルビン酸  ナトリウム塩を含有する試薬を調製し、血球分離膜であるヘマセップＬ（ＰＡＬＬ製）に含浸後、温風乾燥した。こうして得られた血球分離膜５ｍｍｘ１５ｍｍの左端に、血漿用または血清用採血管で採取した１０μＬの全血をマイクロピペットにより滴下した。５分放置後、赤血球部と血漿部または血清部に分離して全てが濡れた状態となったヘマセップＬの赤血球部分長  Ａ（ｍｍ）を左端より計測した。赤血球層（％）＝Ａ／１５ｘ１００を求め、表６に示した。同じ操作にて測定は２回行った。
［表５］
試薬                            濃度（ｍｍｏｌ／Ｌ）
リン酸緩衝液（ｐＨ７．０）      ５０
リンゴ酸                        ２０
ＰＥＰ−  Ｎａ＋              ２００
【００３５】
比較例４
参考例２における上記有機酸化合物を含浸して温風乾燥処理した血球分離膜の代わりに、未処理の血球分離膜を使用して参考例２と同様に行い、赤血球層（％）を求め表６に示した。
【００３６】
［表６］
赤血球層（％）              実施例４            比較例４
血漿検体  測定１            ３３．０％          ６０．０％
血漿検体  測定２            ３３．０％          ６０．０％
血清検体  測定１            ５３．０％          ７３．０％
血清検体  測定２            ５３．０％          ７３．０％【００３７】
結果から明らかなように、上記有機酸化合物を血球分離膜上に温風乾燥状態にして全血を添加しても、上記有機酸化合物を用いない比較例４に比べて赤血球層（％）の割合が低下していた。即ち、多くの血漿や血清が採取可能であることが明らかである。
本発明の上記有機酸化合物は、液体状態でも固体状態でも全血と接触させることで効果を発揮することが確認された。